(57)【特許請求の範囲】
【請求項１】
更生管の管端を封止するために用いられる管端封止装置であって、
円柱状に形成され、前記管端に挿入される栓部材、および
前記栓部材を前記管端に挿入した状態で当該管端を前記更生管の外面側から締め付ける締め付け部材を備え、
前記締め付け部材は、
前記更生管を周回して端部がそれぞれ上方に向けて延びる線部材、
前記線部材の各端部を通す２つの開口を有する押さえ部材、および
前記開口を通って前記押さえ部材の上側に突き出した前記線部材の各端部を上方に引き上げる引き上げ手段を含み、さらに
前記栓部材の外周面に形成された凹部および前記凹部の底面に設けられたシール材を備え、
前記締め付け部材によって前記更生管の管端を締めつけたとき、前記更生管の内面が前記シール材に接触する、更生管の管端封止装置。
【請求項２】
前記締め付け部材は、前記押さえ部材の下面において前記更生管に沿うように湾曲した下板を含み、前記下板には前記線部材の位置決めを行うための１対の保持部が前記押え部材の奥行き方向に所定間隔を隔てて形成され、
前記線部材は、一方の保持部と他方の保持部との間において、前記更生管の管頂から両側に沿って管底で交差し、そこから端部がそれぞれ上方に向けて延びる、請求項１記載の更生管の管端封止装置。
【請求項３】
前記１対の保持部は前記下板から下方に突出し、その突出寸法は前記線部材の線径よりも小さい所定値に設定される、請求項２記載の更生管の管端封止装置。
【発明の詳細な説明】
【技術分野】
【０００１】
この発明は、更生管の管端封止装置に関し、特にたとえば、老朽化した既設管を内側から補修する更生管の管端を封止するために用いられる、更生管の管端封止装置に関する。
【背景技術】
【０００２】
従来、折り畳み変形等の縮径加工を施した更生管を既設管に挿入した状態で、更生管の両端を封止した状態で更生管の内部に蒸気や温水などの加熱流体を供給し、加熱流体によって更生管を円筒形に復元することにより、既設管内に更生管路を形成する技術が公知である。
【０００３】
たとえば、特許文献１には、既設管内面に内張りされるライニング用樹脂管の施工用の管端封止装置が開示されている。この管端封止装置は、弾性材からなる栓体と、ライニング用樹脂管の管端部を締め付けるための締付用バンド部材とを備えている。そして、ライニング用樹脂管の管端部に栓体を挿入（密嵌）し、その管端部を外周側から締付用バンド部材で締め付けることによって、ライニング用樹脂管の管端を閉塞させる。
【特許文献１】実開平５−５０２８８号［Ｆ１６Ｌ  ５５／１０］
【発明の概要】
【発明が解決しようとする課題】
【０００４】
しかしながら、特許文献１には、ライニング用樹脂管の管端部を外周側から締め付ける締付用バンド部材の具体的な態様が開示されていない。
【０００５】
たとえば、ゴムホースの締結に一般に利用されているような締結用バンド部材を採用することが考えられるが、その場合には、ライニング用樹脂管の管端部にしわがよらないように、先ず、締付用バンド部材をライニング用樹脂管の外周側に配置しておいて、締付用バンド部材をある程度締め付けておき、その後で、栓体をライニング用樹脂管の管端部に挿入する必要があるので、その締め付け作業に手間や時間がかかってしまい、施工性が悪い。
【０００６】
それゆえに、この発明の主たる目的は、新規な、更生管の管端封止装置を提供することである。
【０００７】
この発明の他の目的は、施工性に優れる、更生管の管端封止装置を提供することである。
【課題を解決するための手段】
【０００８】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００９】
第１の発明は、更生管の管端を封止するために用いられる管端封止装置であって、円柱状に形成され、管端に挿入される栓部材、および栓部材を管端に挿入した状態で当該管端を更生管の外面側から締め付ける締め付け部材を備え、締め付け部材は、更生管を周回して各端部がそれぞれ上方に向けて延びる線部材、線部材の各端部を通す２つの開口を有する押さえ部材、および開口を通って押さえ部材の上側に突き出した線部材の各端部を上方に引き上げる引き上げ手段を含み、さらに栓部材の外周面に形成された凹部および凹部の底面に設けられたシール材を備え、締め付け部材によって更生管の管端を締めつけたとき、更生管の内面がシール材に接触する、更生管の管端封止装置である。
【００１０】
第１の発明では、更生管の管端封止装置（１０）は、栓部材（１２）、および締め付け部材（１４）を備え、更生管（１００）の管端（１０２）を封止するために用いられる。栓部材は、たとえば鉄やステンレス等の金属によって円柱状に形成され、更生管の管端に挿入される。締め付け部材は、線部材（２８）、および押さえ部材（３０）を含み、栓部材を管端に挿入した状態で当該管端を更生管の外面側から締め付ける。線部材は、たとえば弾性を有する可撓性材料で形成される線材であり、更生管を周回して端部がそれぞれ上方に向けて延びる。押さえ部材は、線部材の端部を押さえ部材の上側に通すための開口（４４）を有している。そして、開口を通って押さえ部材の上側に突き出した線部材の端部を、引き上げ手段（３４，４８）によって上方に引き上げると、線部材が更生管の管壁の外面に圧接されて、更生管が締め付けられる。実施例では、線部材の端部にねじ山（３４）が形成され、開口を通って押さえ部材の上側に突き出した線部材のねじ山がナット部材（４８）の内側のねじ溝に螺合される。そして、ねじ山およびナット部材をさらに螺合させることにより、線部材によって更生管が締め付けられる。栓部材（１２）の外周面には、凹状に窪んだ凹部（１８）が形成され、凹部（１８）の底面には、たとえば耐熱ゴム等からなるシール材（２０）が設けられる。このため、管端封止装置（１０）によって更生管（１００）の管端（１０２）を封止する際に、締め付け部材（１４）によって締め付けた更生管の管壁の内面がシール材に接触するので、栓部材と更生管との間の水密性および気密性を保持することが可能になる。
【００１１】
第１の発明によれば、更生管の管端に栓部材を挿入し、それを更生管の外面側から締め付け部材によって締め付けるだけの簡単な作業で、更生管の管端を適切に密封することができる。
【００１６】
第２の発明は、第１の発明に従属し、締め付け部材は、押さえ部材の下面において更生管に沿うように湾曲した下板を含み、下板には線部材の位置決めを行うための１対の保持部が押え部材の奥行き方向に所定間隔を隔てて形成され、線部材は、一方の保持部と他方の保持部との間において、更生管の管頂から両側に沿って管底で交差し、そこから端部がそれぞれ上方に向けて延びる、更生管の管端封止装置である。
【００１７】
第２の発明では、押さえ部材（３０）は下面において更生管（１００）に沿うように湾曲した下板（４０）を含み、この下板（４０）には、線部材（２８）の位置決めを行う１対の保持部（４６）が形成される。そして、線部材（２８）は、更生管（１００）の管頂から両側に沿い、管底で交差して、そこから端部がそれぞれ上方に向けて延びるが、保持部によって、更生管（１００）の軸方向への線部材（２８）の動きが制限される。
【００１９】
第５の発明では、押さえ部材（３０）の下面（４０）には、線部材（２８）の位置決めを行う保持部（４６）が形成される。そして、この保持部によって、更生管（１００）の軸方向への線部材の動きが制限される。
【００２０】
第２の発明によれば、線部材が位置ずれをおこすことがないので、締め付け部材による締め付け力を有効に機能させることができる。
第３の発明は、第２の発明に従属し、１対の保持部は前記下板から下方に突出し、その突出寸法は前記線部材の線径よりも小さい所定値に設定される、更生管の管端封止装置である。
第３の発明によれば、保持部（４６）が下板（４０）から突出しているので、線部材（２８）の位置ずれを効果的に防止できる。
【発明の効果】
【００２１】
この発明によれば、更生管を加熱および加圧によって復元させる際に、簡単な施工で更生管内を安定した密閉状態に保持することができるので、施工性に優れる。
【００２２】
この発明の上述の目的，その他の目的，特徴および利点は、図面を参照して行う以下の実施例の詳細な説明から一層明らかとなろう。
【図面の簡単な説明】
【００２３】
【図１】この発明の一実施例の管端封止装置を更生管の管端に装着した様子を示す正面図である。
【図２】図１の管端封止装置を更生管の管端に装着した様子を示す側面図である。
【図３】図１の管端封止装置を更生管の管端に装着した様子を示す上面図である。
【図４】図１の管端封止装置を更生管の管端に装着した様子を示す下面図である。
【図５】図１の更生管を示す斜視図である。
【図６】図１の栓部材を示す斜視図である。
【図７】図１の締め付け部材を示す正面図である。
【図８】図４の押さえ部材を示す断面図である。
【図９】既設管内に更生管を挿入する様子を示す図解図である。
【図１０】（ａ）は、締め付け部材を更生管の管端に配置した様子を示す図解図であり、（ｂ）は、締め付け部材によって更生管の外面側から管端を締め付けた様子を示す図解図である。
【図１１】（ａ）は、締め付け部材を更生管の管端に配置した様子を示す図解図であり、（ｂ）は、締め付け部材によって更生管の外面側から管端を締め付けた様子を示す図解図である。
【図１２】既設管内に挿入した状態で更生管を復元する様子を示す図解図である。
【図１３】（ａ）は、この発明の他の実施例の管端封止装置の栓部材を示す斜視図であり、（ｂ）は、栓部材の凹部の位置を示す断面図である。
【図１４】この発明のさらに他の実施例の管端封止装置の押さえ部材を示す上面図である。
【図１５】この発明のさらに他の実施例の管端封止装置を更生管の管端に装着した様子を示す図解図である。
【発明を実施するための形態】
【００２４】
図１−図４を参照して、この発明の一実施例である更生管の管端封止装置１０は、図９に示すような老朽化した既設管２００を内側から補修する更生管１００を加熱および加圧によって復元させる際に、更生管１００の管端１０２を封止するために用いられる。
【００２５】
なお、既設管２００の用途および構成材料には、種々のものを適用し得るが、たとえば、ガス、上下水道、通信ケーブル保護または電力ケーブル保護等の用途であってよいし、また、鉄筋コンクリート管、鋳鉄管、鋼管ならびに合成樹脂管等から構成される管路であってよい。
【００２６】
ここで、管端封止装置１０の具体的な説明に先立って、更生管１００について説明しておく。
【００２７】
図５に示すように、更生管１００は、縮径加工により周方向の一部が押し込まれた断面略ハート形状を有する縮径管である。この略Ｕ字状の押し込まれた部分を押し込み部分１０４という。更生管１００の構成材料は、合成樹脂（塩化ビニル、ポリエチレン，ポリブテン，ポリプロピレン，ナイロン等）であるが、ここでは硬質塩化ビニルの実施例を示す。更生管１００は既設管２００の長さよりも長くされた長尺管であり、その厚みは、たとえば１３ｍｍである。
【００２８】
ただし、更生管１００としては、周方向の一部が押し込まれた断面略ハート形状を有する縮径管に限定されるものではなく、たとえば折り畳み加工により折り畳まれた縮径管であってもよいし、扁平加工により扁平化されるとともに、上下方向の中間部が左右両側から押し込まれた断面略瓢箪形状を有する縮径管であってもよいし、形状をそのままに管径を既設管２００よりも小さくした縮径管であってもよい。
【００２９】
この更生管１００は、従来公知の方法によって製造することができるので、その製造方法の詳細な説明は省略する。簡単に言えば、所定の径で押出成形された直管に対して、軟化点以上融点以下の範囲における所定の温度（この実施例では、たとえば約１００℃程度）に加熱して、押し板やローラ等を用いて縮径加工を施すことによって押し込み部分１０４を形成する。こうすることにより、再び軟化点以上融点以下の温度に加熱し加圧することによって、押し込み部分１０４が外面側へ戻されて、円筒形等に復元することが可能となる。なお、更生管１００は、復元したときの外径が既設管２００の内径と略等しいかやや小さいサイズとなるように設定されている。
【００３０】
管端封止装置１０の説明に戻って、管端封止装置１０は、図１−図４に示すように、更生管１００の管端１０２（の開口）に挿入される栓部材１２と、更生管１００の外面側から管端１０２を締め付ける締め付け部材１４とを備え、上述したように、更生管１００の管端１０２を封止するために用いられる。
【００３１】
図６に示すように、栓部材１２は、鉄やステンレス等の金属からなり、中空円柱形状の本体部１６を有している。ただし、ここでいう「円柱形状」とは、厳密に円柱形状と一致するか否かを定義するものではなく、一方端面または両端面が軸に対して斜めにされた形状や、一方端面から他方端面に向けてテーパがかかった形状などを含んだ略円柱状の形状を意味する。本体部１６の直径は、復元した更生管１００の内径と略等しいかそれよりも少し大きい所定の寸法に設定される。本体部１６の外周面には、周方向の全長に亘って延びる溝状の凹部１８が形成されており、凹部１８の底面には、耐熱ゴム等からなるシール材２０が設けられている。
【００３２】
本体部１６には、本体部１６を軸方向に貫通する複数、この実施例では３つの連通部２２，２４，２６が設けられる。連通部２２，２４，２６は、たとえば鉄やステンレス等の金属からなる中空パイプであり、管端封止装置１０によって更生管１００の管端１０２を封止したときに、更生管１００の内外を連通する。ただし、連通部２２，２４，２６は、通常キャップ等で封止されていて、必要なときだけ適宜開放される。
【００３３】
この実施例では、１つ目の連通部２２は、更生管１００内に所定温度に加熱し加圧した蒸気を供給するための蒸気供給口として利用される。この蒸気供給口２２には、詳細は後に説明するように、更生管１００を復元させる際に、ボイラ等の蒸気発生装置２０８から延びる供給ホース２１４が接続される。
【００３４】
また、２つ目の連通部２４は、圧力計等の圧力検出手段（図示せず）を接続するための圧力計用接続口として利用される。そして、更生管１００を加熱および加圧によって復元させる際に、この圧力計用接続口２４に接続した圧力検出手段により、更生管１００内の圧力が計測される。
【００３５】
さらに、３つ目の連通部２６は、更生管１００内に生じた凝縮水を排出するためのドレン排出口として利用される。そして、更生管１００を加熱および加圧によって復元させる際に、このドレン排出口２６を通して、更生管１００の内面に蒸気が接触すること等により生じた凝縮水が排出される。なお、ドレン排出口２６からの凝縮水の排出は、自然流下によって行うようにしてもよいし、ドレン排出口２６にホースを差し込んで固定して、内圧を利用して抜き出すようにしてもよい。
【００３６】
図１−図４に戻って、締め付け部材１４は、線部材２８、および押さえ部材３０を含み、更生管１００の管端１０２に栓部材１２を挿入した状態で凹部１８の位置に設けられる。
【００３７】
線部材２８は、断面略真円形状を有する線材であり、その線径は、たとえば８ｍｍである。線部材２８は、バネ鋼などある程度弾性を有する可撓性材料で形成され、更生管１００の管頂から両側に沿い、管底で交差して端部がそれぞれ上方に向けて延びる。このようにして、線部材２８は、更生管１００を周回して、更生管１００を円周方向に囲むリング部分３２を形成する。
【００３８】
ただし、ここでいう「上方」とは、厳密に鉛直上向きと一致するか否かを定義するものではなく、斜め上方向を含む上方向を意味する。
【００３９】
線部材２８の各端部は、外周面にねじが切られており、そこにねじ山３４が形成されている。そして、このねじ山３４と、後述するナット部材４８とが、線部材２８の端部を上方に引き上げる引き上げ手段として機能する。
【００４０】
また、押さえ部材３０は、線部材２８のねじ山３４およびナット部材４８を螺合したときに、更生管１００の管頂で線部材２８を押さえ付ける部分であり、鉄やステンレス等の金属によって形成される。押さえ部材３０は、図７に示すように、正面視で上辺が下辺より長い台形状であってかつ上面視で矩形状に形成される中空の本体部３６を有している。本体部３６は、上板３８、下板４０、および側板４２を含み、それらを溶接等で固着することによって形成される。
【００４１】
上板３８は、矩形の板状に形成され、押さえ部材３０の上面を構成する。上板３８の幅方向の両端部には、線部材２８の端部を通すための孔であってかつ上板３８を厚み方向に貫通する開口４４がそれぞれ形成される。そして、各開口４４に、更生管１００の管底から上方に向けて延ばされた線部材２８の端部が通される（つまり、挿通される）。各開口４４は、押さえ部材３０の奥行き方向（つまり、更生管１００の軸方向）に所定寸法ずらして形成されている（図３参照）。こうすることにより、線部材２８の端部を、押さえ部材３０の奥行き方向にずらすことなく、更生管１００の管底からそのまま上方に延ばして開口４４に通すことができるので、線部材２８のねじ山３４およびナット部材４８の螺合がスムーズに行えるようになる。
【００４２】
下板４０は、更生管１００に沿うように湾曲した板状に形成され、押さえ部材３０の下面を構成する。下板４０には、線部材の位置決めを行うための保持部４６が形成される。この実施例では、図８に示すように、押さえ部材３０の奥行き方向（つまり、更生管１００の軸方向）に所定の間隔を隔てて１対の保持部４６が形成され、下板４０から下方向に突出する。なお、保持部４６の突出寸法は、線部材２８の線径よりも小さい所定の値に設定されている。そして、一方の保持部４６と他方の保持部４６との間に線部材２８が配置される。
【００４３】
図７に戻って、側板４２は、上板３８および下板４０の奥行き方向の両側縁において、上板３８と下板４０とを繋いでおり、押さえ部材３０の側面を構成する。
【００４４】
さらに、開口４４を通って押さえ部材３０の上側に突き出した線部材２８の端部のねじ山３４は、押さえ部材３０の上側でナット部材４８の内側のねじ溝に螺合される。つまり、図１０（ａ）および図１０（ｂ）に示すように、線部材２８のねじ山３４およびナット部材４８をさらに螺合させることにより、線部材２８は徐々にそのリング部分３２が小さくなる（つまり、縮径する）ように変形する。ナット部材４８としては、たとえば汎用のナットを利用することができる。
【００４５】
図９−図１２を参照して、老朽化した既設管２００を更生管１００によって補修する工法の手順を説明する。
【００４６】
先ず、両端にマンホール等がない場合には、立坑２０２および２０４を掘削して、既設管２００の両端を立坑２０２および２０４内でそれぞれ開口させる。そして、始点の立坑２０２および終点の立坑２０４の近辺に、施工に必要な各種装置等を準備する。
【００４７】
たとえば、始点の立坑２０２側には、縮径加工が施された更生管１００を巻き取ったドラム２０６を準備する。また、ボイラ等の蒸気発生装置２０８も配置する。一方、終点の立坑２０４側には、牽引ワイヤ２１２を巻き取るためのウインチ２１０を配置しておく。
【００４８】
そして、更生管１００を既設管２００に挿入する際には、終点の立坑２０４側から牽引ワイヤ２１２を既設管２００内に挿通し、更生管１００の先端にワイヤ取付具等を介してこの牽引ワイヤ２１２を接続する。そして、図９に示すように、牽引ワイヤ２１２をウインチ２１０で巻き取ることによって、更生管１００を既設管２００内に引き込む。更生管１００はその先端が既設管２００の立坑２０４に到達するまで挿入される。
【００４９】
なお、引き込み（挿入）の際には、必要に応じてたとえば蒸気発生装置２０８等を用いて更生管１００を所定温度（約８０℃程度）に加熱して軟化させ、更生管１００を曲がり易くして挿入抵抗をさらに低減するようにしてもよい。
【００５０】
更生管１００の先端が立坑２０４に到達すると、更生管１００の両側の管端１０２，１０２に管端封止装置１０を装着して、管端１０２，１０２を封止する。
【００５１】
具体的には、更生管１００の管端１０２を所定温度に加熱して軟化させることによって略円形に復元し、その管端１０２（の開口）に栓部材１２を挿入し、更生管１００の外面側に締め付け部材１４を配置する。すなわち、図１０（ａ）および図１１（ａ）に示すように、更生管１００の管端１０２を線部材２８のリング部分３２に通し、線部材２８を栓部材１２の凹部１８に対応する位置に配置する。そして、線部材２８の各ねじ山３４およびナット部材４８を、所定のトルクで少しずつ螺合させる。すると、線部材２８のねじ山３４が少しずつ上昇して、図１０（ｂ）および図１１（ｂ）に示すように、線部材２８はそのリング部分３２が更生管１００よりも小さくなるように変形する。つまり、更生管１００の管壁の外面に圧接された線部材２８によって更生管１００が締め付けられ、更生管１００の管壁は潰れて縮径する。そして、更生管１００の管壁の内面が栓部材１２の凹部１８のシール材２０に接触するまで更生管１００を締め付けることにより、栓部材１２（のシール材２０）と更生管１００との間の水密性および気密性が確保されて、更生管１００の管端１０２が密封されることとなる。
【００５２】
ただし、図１０では、図面の簡素化のために、更生管１００および押さえ部材３０を仮想線で示し、栓部材１２の図示を省略していることに留意されたい。
【００５３】
次に、更生管１００の内部に蒸気を供給して、蒸気による加熱および加圧によって更生管１００を円筒形に復元する。
【００５４】
具体的には、更生管１００の後端側の管端１０２を封止している管端密着装置１０の栓部材１２の蒸気供給口２２に、蒸気発生装置２０８から延びる供給ホース２１４を接続するとともに、更生管１００の先端側の管端１０２を封止している管端密着装置１０の栓部材１２の連通部２２，２４，２６のうちいずれかを蒸気の出口として開放する。それから、蒸気発生装置２０８を作動させて、供給ホース２１４から供給された蒸気を蒸気供給口２２を介して更生管１００内に供給する。
【００５５】
そして、更生管１００内に蒸気を供給した後、所定圧力に加圧する。この蒸気の圧力は、圧力計用接続口２４に接続した圧力検出手段によって適宜計測され、更生管１００が破裂しない程度に設定される。このようにして、更生管１００は加熱されるとともに内圧がかけられ、その断面形状が真円または真円に十分に近い略真円形に復元、または既設管２００の内面に密着するまで拡径するので、図１２に示すように、そのまま復元した更生管１００の外周面の全体を既設管路２００の内周面の全体に略密着させる。ただし、加熱により形状復元する樹脂であれば、加圧は必ずしも必要ではない。
【００５６】
次に、たとえば所定時間経過後、内圧を保持した状態で、更生管１００の先端側の管端１０２を封止している管端封止装置１０の栓部材１２の連通部２２，２４，２６のうち、蒸気の出口として開放したものを除く連通部のいずれかを開放し、そこから更生管１００内に冷却ノズル（図示せず）を投入する。そして、冷却ノズルから更生管１００内に冷却空気を供給し、更生管１００を冷却する。冷却後、更生管１００内から圧力空気を排出し、更生管１００による既設管２００の補修が完了する。
【００５７】
以上のように、この実施例では、更生管１００の管端１０２に栓部材１２を挿入して、それを更生管１００の外面側から締め付け部材１４によって締め付けるだけの簡単な作業で、更生管１００の管端１０２を封止することが可能である。
【００５８】
すなわち、更生管１００を周回した線部材２８の端部を上方に向けて延ばし、押さえ部材３０の開口４４を通して、押さえ部材３０の上側でその端部のねじ山３４をナット部材４８に螺合させるようにしたので、線部材２８の各ねじ山３４およびナット部材４８を締める作業をするだけで、線部材２８の端部が上方に引き上がり、線部材２８が更生管１００の管壁の全周に亘って圧接されて、更生管１００が締め付けられる。
【００５９】
したがって、この実施例によれば、簡単な施工で更生管１００の管端１０２を適切に密封することができるので、施工性に優れる。
【００６０】
また、この実施例では、栓部材１２の凹部１８の底面にシール材２０が設けられる。このため、更生管１００の管端１０２を締め付け部材１４によって締め付けたときに、更生管１００の管壁の内面が栓部材１２のシール材２０に接触する。したがって、栓部材１２と更生管１００との間の水密性および気密性を安定して保持することができる。
【００６１】
さらに、この実施例では、押さえ部材３０の下面４０に保持部４６が形成され、この保持部４６が、更生管１００の軸方向への線部材２８の動きを制限する。このため、線部材２８が位置ずれをおこすことがなく、締め付け部材１４による締め付け力を有効に機能させることができる。
【００６２】
さらにまた、栓部材１２（の本体部１６）が円柱状に形成されるとともに、この管端封止装置１０によって更生管１００の管端１０２を密封したときに、更生管１００の周囲には、その上方を除いて、更生管１００を周回する線部材２８しか存在しない構造を有しているので、たとえば管端封止装置１０によって管端１０２を密封した更生管１００をマンホールの底面に設けられたインバートに配置するときにも、マンホールの底面を管端封止装置１０の形状に合わせて撤去する必要がなく、また、その撤去した部分を復旧させる必要もない。
【００６３】
なお、上述の実施例では、栓部材１２に３つの連通部２２，２４，２６が形成された。そして、連通部２２を蒸気供給口として利用し、連通部２４を圧力計用接続口として利用し、連通部２６をドレン排出口として利用したが、これに限定される必要はなく、連通部２２，２４，２６のうち任意の連通部を蒸気供給口、圧力計用接続口、ドレン排出口として利用すればよい。
【００６４】
また、上述の実施例では、更生管１００の後端側の管端１０２を封止している管端封止装置１０の栓部材１２の蒸気供給口２２から蒸気を供給し、更生管１００の先端側の管端１０２を封止している管端封止装置１０の栓部材１２の連通部２２，２４，２６のうちいずれかを蒸気の排出口として開放したが、これに限定される必要はなく、更生管１００の先端側の管端１０２を封止している管端封止装置１０の栓部材１２の蒸気供給口２２から蒸気を供給し、更生管１００の後端側の管端１０２を封止している管端封止装置１０の栓部材１２の連通部２２，２４，２６のうちいずれかを蒸気の排出口として開放するようにしてもよい。
【００６５】
さらに、更生管１００の先端側の管端１０２を封止している管端封止装置１０の栓部材１２の連通部２２，２４，２６のうち、蒸気の出口として開放したものを除く連通部のいずれかを開放し、そこから更生管１００内に冷却ノズル（図示せず）を投入して、冷却ノズルから更生管１００内に冷却空気を供給したが、これに限定される必要もない。
【００６６】
たとえば、栓部材１２に４つ目の連通部を形成して、それを冷却ノズルの投入口や蒸気の排出口として利用するようにしてもよい。
【００６７】
さらにまた、栓部材１２に必ずしも３つの連通部２２，２４，２６を形成する必要もなく、更生管１００の後端側の管端１０２を封止している管端封止装置１０において、蒸気供給口として利用するものを除く残りの連通部を、圧力計用接続口、ドレン排出口として兼用するようにしてもよいし、更生管１００の先端側の管端１０２を封止している管端封止装置１０において、蒸気の排出口として利用するものを除く残りの連通部を、冷却ノズル投入口、ドレン排出口として兼用するようにしてもよい。
【００６８】
また、上述の実施例では、線部材２８の各端部を上方に引き上げる引き上げ手段として、線部材２８の各端部にねじ山３４を形成して、このねじ山３４とナット部材４８とを押さえ部材３０の上側で螺合させるようにしたが、これに限定される必要はない。線部材２８の各端部を上方に引き上げることができるのであれば、引き上げ手段として、任意の手段を採用することができる。
【００６９】
さらに、上述の実施例では、断面略真円形状を有する線部材２８の各端部の外周面にねじ山３４が形成されたが、これに限定される必要はなく、線部材２８断面形状は略真円形状でなくてもよい。たとえば、図示は省略するが、断面矩形状に形成した線部材２８の各端部の外面に、外周面にねじ山を有するねじ部材を外嵌させて、そのねじ部材をナット部材４８に螺合させるようにしてもよい。
【００７０】
さらにまた、上述の実施例では、栓部材１２の本体部１６の外周面に、周方向の全長に亘って延びるかつ底面にシール材２０が設けられた溝状の凹部１８が形成されたが、必ずしも凹部１８を本体部３６の周方向に延びる溝状に形成する必要はない。
【００７１】
一例を挙げると、図１３に示すように、栓部材１２の本体部１６の外周面に、曲面を窪ませて平面状にした凹部１８を一定の間隔を隔てて形成し、その凹部１８の奥行き方向の（つまり、更生管１００の軸方向の）両側に、本体部３６の外周面に沿う円環状に形成したシール材２０を設けるようにしてもよい。ただし、シール材２０は凹部１８の奥行き方向の片側にのみ設けるようにしてもよい。
【００７２】
要は、締め付け部材１４によって更生管１００を締め付けたときに、更生管１００の管壁の内面が凹部１８の位置で栓部材１２に接触することで、更生管１００の管壁の内面と栓部材１２との隙間を適切に閉塞させることができるのであれば、凹部１８の形状は特に限定されない。
【００７３】
さらに、栓部材１２の本体部１６を弾性材によって構成したり、栓部材１２の本体部１６の外周面の全体を弾性材によって被覆したりする場合には、更生管１００の管壁の内面と栓部材１２との間の水密性および気密性を確保できるので、必ずしも栓部材１２の本体部１６の外周面に凹部１８を設けなくてもよい。
【００７４】
さらにまた、上述の実施例では、押さえ部材３０の幅方向の両端部には、線部材２８の端部を通すための孔である開口４４がそれぞれ形成されたが、これに限定される必要はない。線部材２８の各端部を押さえ部材３０の上側に通すことができるのであれば、開口４４の形状は特に限定されない。
【００７５】
たとえば、図１４に示すように、押さえ部材３０の幅方向の両端部に、押さえ部材３０の奥行き方向の一方側の端縁を他方側に向けてＵ字状に窪ませた形状の開口４４を形成し、その開口４４を通して、線部材２８の各端部が押さえ部材３０の上側に突き出すようにしてもよい。この場合には、各開口４４が互いに異なる方向に向けてＵ字状に窪むようにすると、線部材２８の位置ずれが生じにくいので、好適である。
【００７６】
また、上述の実施例では、押さえ部材３０（の本体部３６）は、上板３８、下板４０、および側板４２によって、正面視で上辺が下辺より長い台形状であってかつ上面視で矩形状に形成されたが、これに限定される必要はなく、少なくとも更生管１００の管頂で線部材２８を押さえることができて、かつ線部材２８の端部を自身の上側に通す開口４４が形成されているのであれば、押さえ部材３０の形状は特に限定されるものではない。
【００７７】
一例を挙げると、図１５に示すように、押し付け部材３０を矩形の平板状に形成して、その下面の中央部が更生管１００の管頂で線部材２８に接触するようにしてもよい。押し付け部材３０の幅方向の両端部には、開口４４がそれぞれ形成され、各開口４４を通って押さえ部材３０の上側に突き出した線部材２８の各端部のねじ山３４が、押さえ部材３０の上側でナット部材４８に螺合される。
【００７８】
また、押さえ部材３０の下面に、押さえ部材３０の奥行き方向に所定の間隔を隔てた１対の保持部４６が形成されたが、これに限定される必要もない。図示は省略するが、押さえ部材３０の下面に、線部材２８の形状に合わせたかつ線部材２８の線径よりも小さい所定の深さの凹状の溝を形成し、その溝を保持部４６として利用するようにしてもよい。
【００７９】
さらにまた、必ずしも押さえ部材３０の本体部３６を中空体として形成する必要もなく、中実体として形成するようにしてもよい。
【００８０】
また、上述の実施例では、栓部材１２の本体部１６が中空の円柱形状に形成されたが、これに限定される必要はない。栓部材１２の本体部１６を、一方端面または両端面が軸に対して斜めにされた形状や、一方端面から他方端面に向けてテーパがかかった形状などを含んだ略円柱状の形状に形成してもよいことは、上述のとおりであり、さらに、栓部材１２の本体部１６を中実体として形成するようにしてもよい。
【００８１】
なお、上述した径や高さ等の具体的数値は、いずれも単なる一例であり、必要に応じて適宜変更可能である。
【符号の説明】
【００８２】
１０  …更生管の管端封止装置
１２  …栓部材
１４  …締め付け部材
１８  …凹部
２８  …線部材
３０  …押さえ部材
４４  …開口
４８  …ナット部材
１００  …更生管
１０２  …管端
２００  …既設管
【図１】
0005690628.tif 000002
【図２】
0005690628.tif 000003
【図３】
0005690628.tif 000004
【図４】
0005690628.tif 000005
【図５】
0005690628.tif 000006
【図６】
0005690628.tif 000007
【図７】
0005690628.tif 000008
【図８】
0005690628.tif 000009
【図９】
0005690628.tif 000010
【図１０】
0005690628.tif 000011
【図１１】
0005690628.tif 000012
【図１２】
0005690628.tif 000013
【図１３】
0005690628.tif 000014
【図１４】
0005690628.tif 000015
【図１５】
0005690628.tif 000016